【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
回転可能な像担持体と、
前記像担持体を帯電する帯電手段と、
前記帯電手段に帯電電圧を印加する電圧印加手段と、
前記帯電手段により帯電された前記像担持体に静電潜像を形成する像露光手段と、
前記像露光手段により前記像担持体に形成された前記静電潜像に現像剤を供給してトナー像として現像する現像手段と、
前記現像手段により前記像担持体に形成された前記トナー像を被転写体に転写する転写手段と、
画像形成装置の動作情報を検知する動作検知手段と、
前記画像形成装置の使用環境情報を検知する環境検知手段と、
前記電圧印加手段と前記環境検知手段と、を制御する制御手段と、
を有し、
前記制御手段は、前記帯電手段の表面をクリーニングするクリーニング動作を実行可能であって、前記環境検知手段により検知した前記使用環境情報に基づいて前記クリーニング動作を実行するか否かを制御し、前記クリーニング動作を実行する場合に、前記動作情報に基づいて前記クリーニング動作中に前記帯電手段に印加される所定の周期のパルス電圧からなる前記帯電電圧のパルス周期の数を制御することを特徴とする画像形成装置。
【請求項２】
前記動作情報は、前記クリーニング動作が実行されるまでの前記像担持体の表面の移動距離に関連する情報であり、前記移動距離が大きいほど前記クリーニング動作中に印加する前記パルス電圧からなる前記帯電電圧の前記パルス周期の前記数を増やすことを特徴とする請求項１に記載の画像形成装置。
【請求項３】
前記動作情報は、前記現像手段の動作に関連する情報であることを特徴とする請求項１または請求項２に記載の画像形成装置。
【請求項４】
前記動作情報は、前記クリーニング動作を実行した後リセットされることを特徴とする請求項１〜３のいずれか１項に記載の画像形成装置。
【請求項５】
前記帯電電圧は直流電圧であることを特徴とする請求項１〜４のいずれか１項に記載の画像形成装置。
【請求項６】
前記クリーニング動作中に前記帯電手段に印加される所定の周期の前記パルス電圧は、前記帯電電圧がＯＮ／ＯＦＦを繰り返されて形成されることを特徴とする請求項５に記載の画像形成装置。
【請求項７】
前記クリーニング動作中に前記帯電手段に印加する前記帯電電圧は交番電圧であることを特徴とする請求項１〜４のいずれか１項に記載の画像形成装置。
【請求項８】
前記制御手段は、前記動作検知手段により異常を検知した場合に前記クリーニング動作を実行するか否かを制御することを特徴する請求項１〜７のいずれか１項に記載の画像形成装置。
【請求項９】
前記像担持体の表面電位を調整する調整手段を有し、
前記クリーニング動作中に前記電圧印加手段により前記帯電手段に対して前記帯電電圧を印加する間に、前記調整手段により前記像担持体の表面の電位を調整することを特徴する請求項１〜８のいずれか１項に記載の画像形成装置。
【請求項１０】
前記調整手段は前記転写手段により兼用されることを特徴する請求項９に記載の画像形成装置。
【請求項１１】
前記転写手段に転写電圧を印加可能な転写電圧印加手段を有し、
前記クリーニング動作中に前記電圧印加手段により前記帯電手段に対して前記帯電電圧を印加する間に、前記転写手段に印加する前記転写電圧を変更することを特徴とする請求項１０に記載の画像形成装置。
【請求項１２】
前記像担持体と前記帯電手段と前記現像手段と、を有するプロセスカートリッジを複数備え、
前記制御手段は、第１のプロセスカートリッジにおける、前記像担持体の移動距離のカウント方法を前記第１のプロセスカートリッジとは別の第２のプロセスカートリッジとは異なるように制御することを特徴とする請求項１〜１１のいずれか１項に記載の画像形成装置。
【請求項１３】
前記像担持体と前記帯電手段と前記現像手段と、を有するプロセスカートリッジを複数備え、
前記制御手段は、第１のプロセスカートリッジにおける、前記像担持体の移動距離の閾値を前記第１のプロセスカートリッジとは別の第２のプロセスカートリッジとは異なるように制御することを特徴とする請求項１〜１１のいずれか１項に記載の画像形成装置。
【手続補正２】
【補正対象書類名】明細書
【補正対象項目名】００１１
【補正方法】変更
【補正の内容】
【００１１】
そこで、非画像形成時に帯電ローラに除去電圧を印加して付着物の除去を行なうが、画像形成の印字率で制御する場合は、印字率が低いベタ白が多い画像でもトナーと逆極性の外添剤が供給されるため、印字率による判断が困難である。
【手続補正３】
【補正対象書類名】明細書
【補正対象項目名】００１４
【補正方法】変更
【補正の内容】
【００１４】
前記目的を達成するための本発明に係る画像形成装置の第１の構成は、回転可能な像担持体と、前記像担持体を帯電する帯電手段と、前記帯電手段に帯電電圧を印加する電圧印加手段と、前記帯電手段により帯電された前記像担持体に静電潜像を形成する像露光手段と、前記像露光手段により前記像担持体に形成された前記静電潜像に現像剤を供給してトナー像として現像する現像手段と、前記現像手段により前記像担持体に形成された前記トナー像を被転写体に転写する転写手段と、画像形成装置の動作情報を検知する動作検知手段と、前記画像形成装置の使用環境情報を検知する環境検知手段と、前記電圧印加手段と前記環境検知手段と、を制御する制御手段と、を有し、前記制御手段は、前記帯電手段の表面をクリーニングするクリーニング動作を実行可能であって、前記環境検知手段により検知した前記使用環境情報に基づいて前記クリーニング動作を実行するか否かを制御し、前記クリーニング動作を実行する場合に、前記動作情報に基づいて前記クリーニング動作中に前記帯電手段に印加される所定の周期のパルス電圧からなる前記帯電電圧のパルス周期の数を制御することを特徴とする。
【手続補正４】
【補正対象書類名】明細書
【補正対象項目名】００９９
【補正方法】変更
【補正の内容】
【００９９】
図５の付着物除去動作区間Ｗに示すように、画像形成装置１１の非画像形成中に帯電電源１２により帯電ローラ２に対して交番電圧からなるクリーニング電圧Ｖｒを印加する間に、帯電手段以外の手段となる転写ローラ５に印加する転写電圧を変更する。これにより感光ドラム１の表面電位を変更することができる。
【手続補正５】
【補正対象書類名】明細書
【補正対象項目名】０１０２
【補正方法】変更
【補正の内容】
【０１０２】
図５に示すように、前述した図２に示す画像形成動作のタイミングチャートにおいて、時刻Ｔ９〜Ｔ１０の付着物除去動作区間Ｗ内の時刻Ｔ９ａ（Ｔ９＜Ｔ９ａ＜Ｔ１０）から付着物除去動作区間Ｗが経過した後の時刻Ｔ１１（＞Ｔ１０）までの間に、転写電源１３から転写手段となる転写ローラ５に−１１００Ｖの転写電圧を印加した。
【手続補正６】
【補正対象書類名】明細書
【補正対象項目名】０１０４
【補正方法】変更
【補正の内容】
【０１０４】
制御部１０は、図５に示す時刻Ｔ９から時刻Ｔ９ａ（Ｔ９＜Ｔ９ａ＜Ｔ１０）までの間に以下の通り制御する。感光ドラム１の表面電位が−７５０Ｖになるように、図５に示す時刻Ｔ８から時刻Ｔ９ａ（Ｔ９＜Ｔ９ａ＜Ｔ１０）までの間に、転写電源１３から転写ローラ５に−１３００Ｖの転写電圧を印加した。
【手続補正７】
【補正対象書類名】明細書
【補正対象項目名】０１０５
【補正方法】変更
【補正の内容】
【０１０５】
また、制御部１０は、図５に示す時刻Ｔ９ａから時刻Ｔ１０（＞Ｔ９ａ）までの間に以下の通り制御する。感光ドラム１の表面電位が−５５０Ｖになるように、図５に示す時刻Ｔ９ａから時刻Ｔ１１（＞Ｔ１０）までの間に、転写電源１３から転写手段となる転写ローラ５に−１１００Ｖの転写電圧を印加した。
【手続補正８】
【補正対象書類名】明細書
【補正対象項目名】０１１１
【補正方法】変更
【補正の内容】
【０１１１】
そして、図５に示す時刻Ｔ９から時刻Ｔ９ａまでの間の感光ドラム１の表面電位と、帯電ローラ２の表面電位との電位差よりも、図５に示す時刻Ｔ９ａから時刻Ｔ１０までの間の感光ドラム１の表面電位と、帯電ローラ２の表面電位との電位差が大きくなるように、図５に示す時刻Ｔ９ａから時刻Ｔ１１（＞Ｔ１０）までの間に転写電源１３から転写ローラ５に印加する転写電圧を絶対値で−１１００Ｖに下げた。
【手続補正９】
【補正対象書類名】明細書
【補正対象項目名】０１１８
【補正方法】変更
【補正の内容】
【０１１８】
本実施形態では、前記各実施形態で説明した感光ドラム１０１の外周面の連続走行距離ａ１に加えて、現像手段となる現像装置１０４の現像ローラ１０４ａが感光ドラム１０１の表面に対して当接している間の該感光ドラム１０１の外周面の連続走行距離ａ２を考慮して重み付けを行なう。
【手続補正１０】
【補正対象書類名】明細書
【補正対象項目名】０１３３
【補正方法】変更
【補正の内容】
【０１３３】
一方、イエローｙ、マゼンタｍ、シアンｃ、ブラックｋの各色の感光ドラム１０１ｙ，１０１ｍ，１０１ｃ，１０１ｋに対向して、張架ローラ１９，２０及び二次転写内ローラ１０８により図６の矢印Ｒ３方向に回転可能に張架された転写体となる中間転写ベルト１０７が設けられている。
【手続補正１１】
【補正対象書類名】明細書
【補正対象項目名】０１３９
【補正方法】変更
【補正の内容】
【０１３９】
二次転写内ローラ１０８に対向して中間転写ベルト１０７を介在して二次転写手段となる二次転写外ローラ２１が設けられている。そして、中間転写ベルト１０７の外周面上に重畳されたトナー像は、該中間転写ベルト１０７の外周面と二次転写外ローラ２１とにより形成される二次転写ニップ部Ｎ２に到達する。そのタイミングと同期して図示しない搬送部により記録材１４が該二次転写ニップ部Ｎ２に搬送される。